(57)【要約】【課題】  パーティションフレームの位置が幅方向において可変である一方、それに伴う幅方向の寸法変更に対応可能な配管目隠し用部材を備えたフレーム方式のキッチンユニットを提供する。【解決手段】  左右に離間して対向起立させた一対のエンドフレーム１と、これらの上端部間に架け渡した天板３と、前記エンドフレーム間に、これらと略平行配置され、且つ、前記エンドフレーム間における左右の配置位置が変更可能な天板支持フレーム４を有するキッチンユニットにおいて、天板支持フレーム４とエンドフレーム１とで仕切られた区画５内の床面６上に露出した横引き配管２を隠蔽し、天板支持フレーム４の左右の配置位置変更に対応して伸縮可能な配管目隠し部材７を有するので、配管目隠し部材７の隠蔽効果を一切損なわず、パーティションフレームである天板支持フレーム４の位置を動かす際にも支障がない。【選択図】図１
2006061172.tif 000002
【特許請求の範囲】
【請求項１】
左右に離間して対向起立させた一対のエンドフレームと、前記エンドフレームの上端部間に架け渡した天板と、前記一対のエンドフレーム間に該エンドフレームと略平行配置され、且つ、前記エンドフレーム間における左右の配置位置が変更可能である天板支持フレームを有するキッチンユニットであって、前記天板支持フレーム及び前記エンドフレームにより仕切られた区画内の床面上に露出した横引き配管を隠蔽し、且つ、前記天板支持フレームの左右の配置位置変更に対応して伸縮可能な配管目隠し部材を有することを特徴とするキッチンユニット。
【請求項２】
前記配管目隠し部材が、上部に配管貫通用穴部を有する中央部材と、該中央部材の左右両側にあって、前記中央部材にその全部または一部が収容可能なサイド部材とを有することを特徴とする請求項１記載のキッチンユニット。
【請求項３】
前記サイド部材が、中央側から外側に向かって順次、外形寸法が小さくなる複数のサイド部材片よりなり、該サイド部材片の内、外側のサイド部材片の全部または一部が、隣接する中央側のサイド部材片に順次、収容可能に形成されていることを特徴とする請求項２記載のキッチンユニット。
【請求項４】
前記中央部材内部における前記配管貫通用穴部の前記サイド部材側近傍に、前記サイド部材を衝止し得る突起部を形成したことを特徴とする請求項２または請求項３記載のキッチンユニット。
【発明の詳細な説明】
【技術分野】
【０００１】
本発明は、配管目隠し用部材を有するキッチンユニットに関するものである。
【背景技術】
【０００２】
従来のキッチンユニットとしては、図３に示すようなキャビネット方式のキッチンユニットＢをその典型例として示すことができる（特開平５−１４６３２４号公報等参照）。すなわち、キッチン用設備であるコンロ２１、シンク２０に連なるガス配管、給水配管（給水管１６）、給湯配管（給水管１６）、排水配管（排水管１７）等の配管類をキャビネット２２内に隠して延在せしめるというものである。
【０００３】
一方、かかるキャビネット方式のキッチンユニットＢ１では、図４に示すように、配管目隠し用部材であるユニットの配管隠し用パーティクルボード（またはカラー合板）３０を使用する際、ユニット幅にあわせてカットされたものを施工現場で取りつけるのが通例であった。
【０００４】
これに対して、フレーム方式のキッチンユニットにおいては、従来より、横引き配管する事例は、ほとんど知られておらず、その結果、配管目隠し用部材を使用する先行事例を見出せないのが現状である。
【０００５】
かかるフレーム方式のキッチンユニットにおいて、配管目隠し用部材を使用して、横引き配管することを前提に考えた場合、フレーム方式キッチンの特長であるパーティションフレームの位置を自在に動かすことができるというメリットを活かすためには、配管目隠し用部材を幅方向の寸法変更に対応可能とすることが有効であるといえる。
【特許文献１】特開平５−１４６３２４号公報
【発明の開示】
【発明が解決しようとする課題】
【０００６】
本発明は、上記背景技術に鑑みて発明されたものであり、その課題は、パーティションフレームの位置が幅方向において可変である一方、それに伴う幅方向の寸法変更に対応可能な配管目隠し用部材を備えたフレーム方式のキッチンユニットを提供することである。
【課題を解決するための手段】
【０００７】
上記課題を解決するために、請求項１に係る発明のキッチンユニットにあっては、左右に離間して対向起立させた一対のエンドフレームと、前記エンドフレームの上端部間に架け渡した天板と、前記一対のエンドフレーム間に該エンドフレームと略平行配置され、且つ、前記エンドフレーム間における左右の配置位置が変更可能である天板支持フレームを有するキッチンユニットであって、前記天板支持フレーム及び前記エンドフレームにより仕切られた区画内の床面上に露出した横引き配管を隠蔽し、且つ、前記天板支持フレームの左右の配置位置変更に対応して伸縮可能な配管目隠し部材を有することを特徴とするものである。
【０００８】
請求項２に係る発明のキッチンユニットにあっては、請求項１記載のキッチンユニットにおいて、前記配管目隠し部材が、上部に配管貫通用穴部を有する中央部材と、該中央部材の左右両側にあって、前記中央部材にその全部または一部が収容可能なサイド部材とを有することを特徴とするものである。
【０００９】
請求項３に係る発明のキッチンユニットにあっては、請求項２記載のキッチンユニットにおいて、前記サイド部材が、中央側から外側に向かって順次、外形寸法が小さくなる複数のサイド部材片よりなり、該サイド部材片の内、外側のサイド部材片の全部または一部が、隣接する中央側のサイド部材片に順次、収容可能に形成されていることを特徴とするものである。
【００１０】
請求項４に係る発明のキッチンユニットにあっては、請求項２または請求項３記載のキッチンユニットにおいて、前記中央部材内部における前記配管貫通用穴部の前記サイド部材側近傍に、前記サイド部材を衝止し得る突起部を形成したことを特徴とするものである。
【発明の効果】
【００１１】
本発明のキッチンユニットでは、左右に離間して対向起立させた一対のエンドフレームと、前記エンドフレームの上端部間に架け渡した天板と、前記一対のエンドフレーム間に該エンドフレームと略平行配置され、且つ、前記エンドフレーム間における左右の配置位置が変更可能である天板支持フレームを有するキッチンユニットであって、前記天板支持フレーム及び前記エンドフレームにより仕切られた区画内の床面上に露出した横引き配管を隠蔽し、且つ、前記天板支持フレームの左右の配置位置変更に対応して伸縮可能な配管目隠し部材を有するので、フレーム方式のキッチンユニットにおいて、横引き配管する場合においても、配管目隠し部材が、幅方向の寸法変更に対応できる結果、配管目隠し部材の隠蔽効果を一切損なうことがなく、パーティションフレームとして機能する天板支持フレームの位置を動かし得るというフレーム方式キッチンの特長を、支障なく活用し得ることとなる。
【発明を実施するための最良の形態】
【００１２】
以下、本発明の実施形態を図面に基づき説明する。ここで、図１は、本発明の一実施形態であるキッチンユニットＡの構成の概略を示すもので、（ａ）は、斜視図、（ｂ）は、側面図である。一方、図２は、本発明の一実施形態であるキッチンユニットＡの構成の要部である配管目隠し部材７の概略を示すもので、（ａ）は、斜視図、（ｂ）は、配管貫通用穴部８ａ（８）近傍の部分断面図である。
【００１３】
すなわち、本実施形態のキッチンユニットＡは、図１に示すように、アルミニウムフレーム等の角材で構成されたフレーム方式のキッチンユニットであり、左右に離間して対向起立させた一対のエンドフレーム１（ここでは、右側エンドフレーム１ａと左側エンドフレーム１ｂ）と、このエンドフレーム１の上端部の間に架け渡した天板３と、前記一対のエンドフレーム１の間に該エンドフレーム１と略平行配置され、且つ、前記エンドフレーム間における左右の配置位置が変更可能であり、パーティションフレームとして機能する天板支持フレーム４を有するキッチンユニットである。
【００１４】
さらに、本実施形態のキッチンユニットＡは、天板支持フレーム４及び前記エンドフレーム１により仕切られた区画５内の床面６上に露出した横引き配管２を隠蔽し、且つ、前記天板支持フレーム４の左右の配置位置変更に対応して伸縮可能な配管目隠し用部材である配管目隠し部材７を有するものである。
【００１５】
また、本実施形態のキッチンユニットＡは、配管目隠し部材７が、上部に配管貫通用穴部８を有する中央部材９と、この中央部材９の左右両側にあって、前記中央部材９にその全部または一部が収容可能なサイド部材１０（ここでは、右側サイド部材１０Ｒと左側サイド部材片１０Ｌ）とを有している。なお、上記配管貫通用穴部８は、主として、床立ち上げ配管等、直立配管１３に対応するものである。
【００１６】
したがって、かかるフレーム方式のキッチンユニットにおいて、横引き配管する場合においても、本実施形態のキッチンユニットＡによれば、配管目隠し部材７が、上記区画５の幅方向（左右方向）の寸法〔Ｗ〕の変更に対応できる結果、配管目隠し部材７の隠蔽効果を一切損なうことがなく、パーティションフレームとして機能する天板支持フレーム４の位置を動かし得るというフレーム方式キッチンの特長を、支障なく活用し得ることとなる。
【００１７】
さらに、本実施形態のキッチンユニットＡでは、前記サイド部材１０が、中央側から外側に向かって順次、外形寸法が小さくなる複数のサイド部材片１１（ここでは、右側サイド部材片１１Ｒと左側サイド部材片１１Ｌ）よりなり、このサイド部材片１１の内、外側のサイド部材片１１の全部または一部が、隣接する中央側のサイド部材片１１に順次、収容可能に形成されていることを特徴とするものである。
【００１８】
すなわち、右側サイド部材片１１Ｒに着目した場合、ここでは、右側サイド部材片１１Ｒは、中央側から外側に向かって順次、外形寸法が小さくなる複数（ここでは、３個）のサイド部材片１１Ｒａ、１１Ｒｂ、１１Ｒｃより形成されている。しかも、サイド部材片１１Ｒｂの全部または一部が、サイド部材片１１Ｒａに収容可能に形成され、同様に、サイド部材片１１Ｒｃの全部または一部が、サイド部材片１１Ｒｂに収容可能に形成されており、より外側のサイド部材片１１Ｒの全部または一部が、隣接する中央側のサイド部材片１１Ｒに収容可能に形成されている。かかる関係は、左側サイド部材片１１Ｌについても、まったく同様であり、左側サイド部材片１１Ｌは、中央側から外側に向かって順次、外形寸法が小さくなる複数（ここでは、３個）のサイド部材片１１Ｌａ、１１Ｌｂ、１１Ｌｃより形成されており、サイド部材片１１Ｌｂの全部または一部がサイド部材片１１Ｌａに、サイド部材片１１Ｌｃの全部または一部がサイド部材片１１Ｌｂにそれぞれ収容可能に形成され、より外側のサイド部材片１１Ｌの全部または一部が、隣接する中央側のサイド部材片１１Ｌに収容可能に形成されている。その結果、配管目隠し部材７が、区画５における幅方向（左右方向）の寸法変更に、一層円滑に対応できることとなる。
【００１９】
一方、本実施形態のキッチンユニットＡでは、中央部材９内部における配管貫通用穴部８のサイド部材片１１側近傍に、前記サイド部材片１１を衝止し得る突起部１２を形成したことを特徴とするものである。この結果、サイド部材片１１が、配管貫通用穴部８を塞いでしまう等の不具合を防止し得ることとなる。
【００２０】
なお、本発明のキッチンユニットは、上記の実施形態にのみ限定されるものではなく、例えば、エンドフレーム、或いは、パーティションフレームとして機能する天板支持フレーム等のフレームに引出レールを後付けし、引き出しを追加すれば、引き出し付キッチンに変更可能である等、本発明の要旨を逸脱しない範囲内において種々変更を加え得ることは勿論である。
【００２１】
以上のように、本発明のキッチンユニットでは、左右に離間して対向起立させた一対のエンドフレームと、前記エンドフレームの上端部間に架け渡した天板と、前記一対のエンドフレーム間に該エンドフレームと略平行配置され、且つ、前記エンドフレーム間における左右の配置位置が変更可能である天板支持フレームを有するキッチンユニットであって、前記天板支持フレーム及び前記エンドフレームにより仕切られた区画内の床面上に露出した横引き配管を隠蔽し、且つ、前記天板支持フレームの左右の配置位置変更に対応して伸縮可能な配管目隠し部材を有するので、フレーム方式のキッチンユニットにおいて、横引き配管する場合においても、配管目隠し部材が、幅方向の寸法変更に対応できる結果、配管目隠し部材の隠蔽効果を一切損なうことがなく、パーティションフレームとして機能する天板支持フレームの位置を動かし得るというフレーム方式キッチンの特長を、支障なく活用し得ることとなる。
【図面の簡単な説明】
【００２２】
【図１】本発明の一実施形態であるキッチンユニットＡの構成の概略を示すもので、（ａ）は、斜視図、（ｂ）は、側面図である。
【図２】本発明の一実施形態であるキッチンユニットＡの構成の要部である配管目隠し部材７の概略を示すもので、（ａ）は、斜視図、（ｂ）は、配管貫通用穴部８ａ（８）近傍の部分断面図である。
【図３】従来例に係るキャビネット方式のキッチンユニットＢの構成の概略を示すもので、（ａ）は、斜視図、（ｂ）は、断面図である。
【図４】配管隠し用パーティクルボード（またはカラー合板）３０を有する従来例に係るキャビネット方式のキッチンユニットＢ１の構成の概略を示す断面図である。
【符号の説明】
【００２３】
１      エンドフレーム
１ａ    右側エンドフレーム
１ｂ    左側エンドフレーム
２      横引き配管
２ａ    横引き配管
２ｂ    横引き配管
２ｃ    横引き配管
３      天板
４      天板支持フレーム
５      区画
６      床面
７      配管目隠し部材
８      配管貫通用穴部（中央部材９）
８ａ    配管貫通用穴部（中央部材９）
８ｂ    配管貫通用穴部（中央部材９）
８ｃ    配管貫通用穴部（中央部材９）
９      中央部材（配管目隠し部材７）
１０      サイド部材（配管目隠し部材７）
１０Ｒ    右側サイド部材（配管目隠し部材７）
１０Ｌ    左側サイド部材（配管目隠し部材７）
１１      サイド部材片（サイド部材１０）
１１Ｒ    右側サイド部材片（右側サイド部材１０Ｒ）
１１Ｒａ  右側サイド部材片（右側サイド部材１０Ｒ）
１１Ｒｂ  右側サイド部材片（右側サイド部材１０Ｒ）
１１Ｒｃ  右側サイド部材片（右側サイド部材１０Ｒ）
１１Ｌ    左側サイド部材片（左側サイド部材１０Ｌ）
１１Ｌａ  左側サイド部材片（左側サイド部材１０Ｌ）
１１Ｌｂ  左側サイド部材片（左側サイド部材１０Ｌ）
１１Ｌｃ  左側サイド部材片（左側サイド部材１０Ｌ）
１２      突起部（中央部材９）
１３      直立配管
１３ａ    直立配管
１３ｂ    直立配管
１３ｃ    直立配管
１４      壁面パネル
１５      換気ダクト
１６      給水管
１７      排水管
１８      流し台
１９      ワークトップ
２０      シンク
２１      コンロ
２２      キャビネット
２３      水栓
２４      収納パネル
２５      キッチンフード
２６      ウォールキャビネット
２７      横架材
２８      幕板〔従来例〕
２９      裏板〔従来例〕
３０        配管隠し用パーティクルボード（またはカラー合板）〔従来例〕
３１      地板
３２      扉
Ａ        キッチンユニット
Ｂ        キッチンユニット〔従来例〕
Ｂ１      キッチンユニット〔従来例〕
【図１】
2006061172.tif 000003
【図２】
2006061172.tif 000004
【図３】
2006061172.tif 000005
【図４】
2006061172.tif 000006